(57)【要約】【課題】電解水ミストを、広範囲に放散させることもできれば、周囲に濃密に漂わせることもできる空気清浄機および電解水ミスト発生器を提供する。【解決手段】空気清浄機１は、筐体２０と、筐体２０内に形成された空気流通経路２７と、空気流通経路２７に配置された空気清浄装置２８及び送風装置２９と、電解水生成装置４４と、電解水生成装置４４が生成した電解水をミスト化する電解水ミスト生成装置４５を備える。筐体２０の天面には天面排気口２５が設けられ、筐体２０の正面には正面排気口２６が設けられる。電解水ミスト生成装置４５が生成した電解水ミストは天面排気口２５から出る排気中に放出される。送風装置２９から吐出される空気は、天面排気口２５に到達する前に正面排気口２６の位置に到達するものであり、両排気口の間には、どちらが主たる排気口となるかを切り替える排気口切替装置４１が配置されている。【選択図】図１
2011177246.tif 000002
【特許請求の範囲】
【請求項１】
筐体と、
前記筐体内に形成され、一方の端が吸気口、他方の端が排気口となった空気流通経路と、
前記空気流通経路に配置された空気清浄装置及び送風装置と、
前記筐体に内蔵された電解水生成装置と、
同じく前記筐体に内蔵され、前記電解水生成装置が生成した電解水をミスト化する電解水ミスト生成装置を備え、
前記排気口は、前記筐体の天面に設けられた天面排気口と、前記筐体の正面に設けられた正面排気口を含み、前記電解水ミスト生成装置が生成した電解水ミストは、前記天面排気口から出る排気中に放出されるとともに、
前記送風装置から吐出される空気は、前記天面排気口に到達する前に前記正面排気口の位置に到達するものであり、前記正面排気口と前記天面排気口の間には、どちらの排気口が主たる排気口として機能するかを切り替える排気口切替装置が配置されていることを特徴とする空気清浄機。
【請求項２】
前記正面排気口に配置されたルーバーが前記排気口切替装置を構成するものであり、前記ルーバーは、前記正面排気口を閉ざす第１の位置と、前記正面排気口を開き、前記天面排気口に向かう空気流を阻害する第２の位置の間で回動可能であることを特徴とする請求項１に記載の空気清浄機。
【請求項３】
前記電解水ミスト生成装置に対し、前記送風装置から吐出される空気の一部を取り入れる空気取入ダクトと、前記天面排気口からの排気中に電解水ミストを放出するミストノズルが設けられることを特徴とする請求項１または２に記載の空気清浄機。
【請求項４】
前記ミストノズルには、機外の空気に直接電解水ミストを放出する分岐部が設けられていることを特徴とする請求項３に記載の空気清浄機。
【請求項５】
前記天面排気口にルーバーが設けられ、前記ルーバーには、前記ミストノズルの先端部を機外に露出させる切除部が形成されていることを特徴とする請求項３に記載の空気清浄機。
【請求項６】
前記筐体を支持する台座を備え、前記筐体は垂直軸線まわりに回動可能に支持されていることを特徴とする請求項１から５のいずれか１項に記載の空気清浄機。
【請求項７】
前記筐体を前記台座上で垂直軸線まわりに反転回動させる首振りモータが設けられていることを特徴とする請求項６に記載の空気清浄機。
【請求項８】
前記筐体と前記台座には、互いの角度関係を認識させる合印が設けられていることを特徴とする請求項６または７に記載の空気清浄機。
【請求項９】
前記筐体の正面に操作ボタンが配置され、前記筐体の側面には運搬用手掛け部が形成され、前記手掛け部は、前記操作ボタンを押すときに手を掛けることができる形状となっていることを特徴とする請求項１から８のいずれか１項に記載の空気清浄機。
【請求項１０】
筐体と、
前記筐体内に形成され、一方の端が吸気口、他方の端が排気口となった空気流通経路と、
前記空気流通経路に配置された送風装置と、
前記筐体に内蔵された電解水生成装置と、
同じく前記筐体に内蔵され、前記電解水生成装置が生成した電解水をミスト化する電解水ミスト生成装置を備え、
前記排気口は、前記筐体の天面に設けられた天面排気口と、前記筐体の正面に設けられた正面排気口を含み、前記電解水ミスト生成装置が生成した電解水ミストは、前記天面排気口から出る排気中に放出されるとともに、
前記送風装置から吐出される空気は、前記天面排気口に到達する前に前記正面排気口の位置に到達するものであり、前記正面排気口と前記天面排気口の間には、どちらの排気口が主たる排気口として機能するかを切り替える排気口切替装置が配置されていることを特徴とする電解水ミスト発生器。
【発明の詳細な説明】
【技術分野】
【０００１】
本発明は空気清浄機および電解水ミスト発生器に関する。
【背景技術】
【０００２】
最近の空気清浄機には、ウィルス等の微生物の活動を抑え込む機能を備えたものが多くなっている。特許文献１に記載された空気清浄機もその一例である。特許文献１記載の空気清浄機は、電解水のミストを、空気清浄機内で清浄化された空気を用いて機外に放散し、室内空気の殺菌や脱臭を行っている。
【先行技術文献】
【特許文献】
【０００３】
【特許文献１】特開２００７−３７５８９号公報（国際特許分類：Ａ６１Ｌ９／１４、Ａ６１Ｌ９／０１、Ｃ０２Ｆ１／４６）
【発明の概要】
【発明が解決しようとする課題】
【０００４】
特許文献１に記載された空気清浄機では、筐体上面に形成された排気口に隣接する形で電解水ミストの放散口が設けられ、放散口から放散される電解水ミストは、排気口から吹き上がる清浄化空気に巻き込まれる形で部屋中に放散する。ところで電解水ミストは、広範囲に放散させたいこともあれば、空気清浄機の周囲に濃密に漂わせたいこともある。常に一定の態様で電解水ミストを放散する特許文献１の空気清浄機では、上記のような、異なる態様で電解水ミストを放散させるという要請に応えることはできなかった。
【０００５】
本発明は上記の点に鑑みなされたものであり、電解水ミストを、広範囲に放散させることもできれば、周囲に濃密に漂わせることもできる空気清浄機および電解水ミスト発生器を提供することを目的とする。
【課題を解決するための手段】
【０００６】
本発明の好ましい実施形態によれば、空気清浄機は、筐体と、前記筐体内に形成され、一方の端が吸気口、他方の端が排気口となった空気流通経路と、前記空気流通経路に配置された空気清浄装置及び送風装置と、前記筐体に内蔵された電解水生成装置と、同じく前記筐体に内蔵され、前記電解水生成装置が生成した電解水をミスト化する電解水ミスト生成装置を備え、前記排気口は、前記筐体の天面に設けられた天面排気口と、前記筐体の正面に設けられた正面排気口を含み、前記電解水ミスト生成装置が生成した電解水ミストは、前記天面排気口から出る排気中に放出されるとともに、前記送風装置から吐出される空気は、前記天面排気口に到達する前に前記正面排気口の位置に到達するものであり、前記正面排気口と前記天面排気口の間には、どちらの排気口が主たる排気口として機能するかを切り替える排気口切替装置が配置されている。
【０００７】
本発明の好ましい実施形態によれば、上記構成の空気清浄機において、前記正面排気口に配置されたルーバーが前記排気口切替装置を構成するものであり、前記ルーバーは、前記正面排気口を閉ざす第１の位置と、前記正面排気口を開き、前記天面排気口に向かう空気流を阻害する第２の位置の間で回動可能である。
【０００８】
本発明の好ましい実施形態によれば、上記構成の空気清浄機において、前記電解水ミスト生成装置に対し、前記送風装置から吐出される空気の一部を取り入れる空気取入ダクトと、前記天面排気口からの排気中に電解水ミストを放出するミストノズルが設けられる。
【０００９】
本発明の好ましい実施形態によれば、上記構成の空気清浄機において、前記ミストノズルには、機外の空気に直接電解水ミストを放出する分岐部が設けられている。
【００１０】
本発明の好ましい実施形態によれば、上記構成の空気清浄機において、前記天面排気口にルーバーが設けられ、前記ルーバーには、前記ミストノズルの先端部を機外に露出させる切除部が形成されている。
【００１１】
本発明の好ましい実施形態によれば、上記構成の空気清浄機において、前記筐体を支持する台座を備え、前記筐体は垂直軸線まわりに回動可能に支持されている。
【００１２】
本発明の好ましい実施形態によれば、上記構成の空気清浄機において、前記筐体を前記台座上で垂直軸線まわりに反転回動させる首振りモータが設けられている。
【００１３】
本発明の好ましい実施形態によれば、上記構成の空気清浄機において、前記筐体と前記台座には、互いの角度関係を認識させる合印が設けられている。
【００１４】
本発明の好ましい実施形態によれば、上記構成の空気清浄機において、前記筐体の正面に操作ボタンが配置され、前記筐体の側面には運搬用手掛け部が形成され、前記手掛け部は、前記操作ボタンを押すときに手を掛けることができる形状となっている。
【００１５】
本発明の好ましい実施形態によれば、電解水ミスト発生器は、筐体と、前記筐体内に形成され、一方の端が吸気口、他方の端が排気口となった空気流通経路と、前記空気流通経路に配置された送風装置と、前記筐体に内蔵された電解水生成装置と、同じく前記筐体に内蔵され、前記電解水生成装置が生成した電解水をミスト化する電解水ミスト生成装置を備え、前記排気口は、前記筐体の天面に設けられた天面排気口と、前記筐体の正面に設けられた正面排気口を含み、前記電解水ミスト生成装置が生成した電解水ミストは、前記天面排気口から出る排気中に放出されるとともに、前記送風装置から吐出される空気は、前記天面排気口に到達する前に前記正面排気口の位置に到達するものであり、前記正面排気口と前記天面排気口の間には、どちらの排気口が主たる排気口として機能するかを切り替える排気口切替装置が配置されている。
【発明の効果】
【００１６】
本発明によると、排気口切替装置を用いて、空気清浄機や電解水ミスト発生器の天面排気口を主たる排気口として機能させる態様を選べば、電解水ミストを広範囲に放散させることができ、正面排気口を主たる排気口として機能させる態様を選べば、電解水ミストを空気清浄機や電解水ミスト発生器の周囲に濃密に漂わせることができる。
【図面の簡単な説明】
【００１７】
【図１】本発明の第１実施形態に係る空気清浄機の斜視図である。
【図２】図１の空気清浄機の垂直断面図である。
【図３】図１の空気清浄機の垂直断面図で、断面方向を図２と直角に設定したものである。
【図４】図１の空気清浄機の上面図である。
【図５】図１の空気清浄機の垂直断面図で、図２と異なる状態を示すものである。
【図６】図１の空気清浄機の垂直断面図で、図２及び図５と異なる状態を示すものである。
【図７】図１の空気清浄機の水平断面図である。
【図８】図１の空気清浄機の水平断面図で、図７と異なる状態を示すものである。
【図９】図１の空気清浄機の水平断面図で、図７及び図８と異なる状態を示すものである。
【図１０】ミストノズルの方向変化の説明図である。
【図１１】本発明の第２実施形態に係る空気清浄機の垂直断面図である。
【図１２】本発明の第３実施形態に係る空気清浄機の斜視図である。
【図１３】図１２の空気清浄機の上面図である。
【図１４】本発明の第４実施形態に係る空気清浄機の上面図である。
【発明を実施するための形態】
【００１８】
以下、図１から図１０までの図に基づき本発明の第１実施形態に係る空気清浄機の構造と動作を説明する。
【００１９】
空気清浄機１は、平面形状円形の台座１０と、その上に支持される、略直方体形状の筐体２０を備える。台座１０は筐体２０を垂直軸線まわりに回動可能に支持するものであるが、その具体的構造は後で説明する。筐体２０の説明に用いる方位表現については、筐体２０の正面に向かって左側が左、右側が右、と定義する。他の構成要素の説明に用いる方位表現もこれにならうものとする。
【００２０】
筐体２０の正面中央下部には操作部２１が設けられている。操作部２１は、垂直方向に３個並んだ押釦式のスイッチ２２と、垂直方向に複数個並んで空気清浄機１の運転状況その他の情報を表示するランプ２３が配置されている。ランプ２３は発光ダイオード（ＬＥＤ）により構成される。
【００２１】
筐体２０の左右の側面にはそれぞれ吸気口２４が形成される。また、筐体２０の天面の前部に天面排気口２５が形成され、筐体２０の正面上部には正面排気口２６が形成されている。
【００２２】
筐体２０の内部には、吸気口２４を一方の端とし、天面排気口２５と正面排気口２６を他方の端とする空気流通経路２７が形成される。空気流通経路２７には空気清浄装置２８と送風装置２９が配置される。
【００２３】
空気清浄装置２８は、吸気口２４から筐体２０の中に入れられる空気清浄フィルタ３０により構成される。空気清浄フィルタ３０は目の比較的粗い粗塵用フィルタよりなるが、必要に応じて脱臭フィルタ、目の細かい細塵用フィルタなどを組み合わせたものとしてもよい。
【００２４】
吸気口２４には桟を格子状に組んだガードグリル３１がはめ込まれる。ガードグリル３１は筐体２０の中に手指等が差し込まれるのを防ぐとともに、筐体２０の中に空気清浄フィルタ３０を押さえ込む役割も果たす。
【００２５】
送風装置２９は、吸気口２４から吸い込まれ、天面排気口２５及び正面排気口２６から排出される空気流を形成するものであって、シロッコファン３２及びそれを回転させる図示しないモータと、シロッコファン３２を囲むファンケーシング３３により構成される。ファンケーシング３３は左右対称形状であって、左右の端面が吸込口部３４となっている。吸込口部３４には空気清浄フィルタ３０がぴったりと押し付けられ、その結果、空気清浄フィルタ３０で清浄化された空気だけがファンケーシング３３に入ることになる。
【００２６】
ファンケーシング３３の内部は垂直な仕切壁３５により左右の区画に仕切られており、各区画はそれぞれ１個のシロッコファン３２を収容している。前記図示しないモータは仕切壁３５に取り付けられる両軸型のモータであって、シロッコファン３２は自身が収納された区画内に延び出したモータ軸に固定され、水平軸線まわりに回転する。
【００２７】
ファンケーシング３３の各区画の上部に設けられた吐出口部３６は、ファンケーシング３３の上に設けられたダクト３７の下端に接続する。ダクト３７は空気流通経路２７の一部をなすものであり、上端に天面排気口２５が位置し、天面排気口２５に至るまでの箇所に正面排気口２６が位置している。
【００２８】
図１及び図４に示すように、天面排気口２５の内側には桟を格子状に組んだガードグリル３８が配置される。ガードグリル３８はダクト３７の中に手指等が差し込まれるのを防ぐ。
【００２９】
天面排気口２５にはルーバー３９が設けられる。ルーバー３９は空気清浄機や空気調和機等で周知の構成のものであって、複数（本実施形態では２枚）のブレード４０が、図示しない連結機構により、同期して同じ角度だけ回転するように連結されている。実施形態１のルーバー３９は、水平に対し９０°をなす位置からから３０°をなす位置まで角度を変えられるようになっている。
【００３０】
ルーバー３９は手動式とすることもできるし、電動式とすることもできる。手動式とした場合は、ブレード４０の１枚をつまんで、あるいは図示しない操作つまみにより、ブレード４０の角度を変える。電動式とした場合は、図示しないモータによりブレード４０の角度変更あるいはスイングを行う。いずれも周知構造である。
【００３１】
正面排気口２６と天面排気口２５の間には、どちらの排気口が主たる排気口として機能するかを切り替える排気口切替装置４１が配置される。排気口切替装置４１は正面排気口２６に配置されたルーバー４２により構成される。ルーバー４２は軸４３を支点として水平軸線まわりに回動するものであり、正面排気口２６を閉ざす第１の位置（図２参照）と、正面排気口２６を開き、天面排気口２５に向かう空気流を阻害する第２の位置（図６参照）の間で回動可能となっている。
【００３２】
ルーバー４２は断面矩形の筒状であり、前記第２の位置をとったときダクト３７の奥の壁面に向き合う部位に張出部４２ａを形成した形状となっている。張出部４２ａはダクト３７の奥の壁面との間隙を狭め、天面排気口２５に向かう空気の割合を少なくするとともに、ルーバー４２の筒の中に空気を取り込む働きをする。
【００３３】
ルーバー４２は、第１の位置では送風装置２９が吹き上げる空気流を真っ直ぐ天面排気口２５に向かわせる。第２の位置では、ルーバー４２に阻害される空気流の大半はルーバー４２の筒の中またはルーバー４２の下に開いた正面排気口２６の開口部を通って正面側に吹き出すことになる。第２の位置でルーバー４２は、ダクト３７を完全に閉ざしている訳ではないので、天面排気口２５に向かう空気はゼロにはならない。ルーバー４２の角度を第１の位置と第２の位置の中間にすれば、ルーバー４２に捕捉されるだけの量の空気が、ルーバー４２が向いている角度に正面排気口２６より吹き出す。
【００３４】
ルーバー３９と同様、ルーバー４２は手動式とすることもできれば電動式とすることもできる。
【００３５】
筐体２０の内部には、ファンケーシング３３の上であって、ダクト３７の背後という位置に、電解水生成ユニット４３が配置される。電解水生成ユニット４３は、ケーシングの中に、電解水生成装置４４と、電解水生成装置４４が生成した電解水をミスト化する電解水ミスト生成装置４５を備える（図３参照）。電解水生成装置４４の主たる構成要素は、電解水生成ユニット４３の左端に近い位置に配置された１対の電極４６であり、電解水ミスト生成装置４５の主たる構成要素は、電解水生成ユニット４３の右端に近い位置に配置された超音波振動子４７である。給水タンク４８が電解水生成ユニット４３の上に置かれると、給水タンク４８の中の水が電解水生成ユニット４３に供給される。その水を電解水生成装置４４が電解水に変え、その電解水を電解水ミスト生成装置４５が電解水ミストに変えるものである。
【００３６】
筐体２０の上面には着脱自在な蓋４９が設けられており、蓋４９を取り外せば給水タンク４８を取り出して水を補給することができる。
【００３７】
電解水ミスト生成装置４５に対し、送風装置２９から吐出される空気の一部を取り入れる空気取入ダクト５０と、天面排気口２５から排出される排気中に電解水ミストを放出するミストノズル５１が設けられる。空気取入ダクト５０は入口をダクト３７の内部に向ける形で配置され、ミストノズル５１は出口を天面排気口２５内において斜め前方上方に向ける形で配置される。空気取入ダクト５０とミストノズル５１はいずれも電解水生成ユニット４３から延び出すものであり、両者の間には電解水ミスト生成装置４５の上部空間を経由する空気通路が形成されている。
【００３８】
ファンケーシング３３の下には制御ボックス５２が配置される。制御ボックス５２の中には空気清浄機１の制御装置を構成する回路基板５３が収納されている。
【００３９】
台座１０と筐体２０は次のような仕組みで連結される。筐体２０の下面中心に軸部５４が一体成型される。軸部５４は台座１０の中心を貫通し、ワッシャーとナットの組み合わせなどの抜け止め手段で台座１０に連結される。これにより筐体２０は、台座１０に対し垂直軸線まわりに回動可能に連結されることになる。
【００４０】
軸部５４だけでは筐体２０が安定しないので、筐体２０の下面には軸部５４を囲む同心円状の環状リブ５５が形成され、台座１０には環状リブ５５が嵌合する環状溝５６が形成される。大直径の環状リブ５５が環状溝５６の底面に接触して滑ることにより、筐体２０は傾いたりがたついたりすることなく安定して回転する。
【００４１】
筐体２０は、扇風機が首を振るように台座１０に対し反転回動せしめられる。そのための首振りモータ５７が筐体２０の内部に配置される。首振りモータ５７は竪軸であり、且つ減速機構内蔵タイプであり、下面に出力軸５８（図８参照）が突出している。出力軸５８にはクランク５９が固定され、クランク５９にはコネクティングロッド６０の一端が連結される。コネクティングロッド６０の他端は、筐体２０の底面に形成された円弧状開口６１を通じて台座１０に連結されている。
【００４２】
筐体２０の正面下部と台座１０の上面には、それぞれ合印６２が形成される。第１実施形態では、互いに頂点を向かい合わせる三角形が合印６２とされているが、これに限定される訳ではない。それらが対をなすことが一目瞭然の形状であれば、どのようなものであってもよい。合印６２の形成は、印刷によるのが簡単であるが、シールを貼ったり、筐体２０と台座１０の射出成型時にその形状を形成したりするなどの手法を採用してもよい。
【００４３】
上記のように連結された台座１０と筐体２０の運搬を容易にするため、筐体２０の左右側面の上端近くには手掛け部６３が形成されている。
【００４４】
続いて空気清浄機１の動作を説明する。給水タンク４８の中の水が不足し、電解水生成ユニット４３の中の水位が所定レベルに達していないときは、図示しないセンサがそれを検知し、操作部２１に水不足の旨の表示が出る。水不足の表示を見たときは、蓋４９を外し、給水タンク４８を取り出して水を補給する。水補給後、給水タンク４８を電解水生成ユニット４３の上に置くと、給水タンク４８から流れ出す水によって水位が回復し、水不足の表示は消える。外しておいた蓋４９を元通りはめ込めば、空気清浄機１の運転が可能になる。
【００４５】
空気清浄機１を運転すると、送風装置２９、電解水生成装置４４、及び電解水ミスト生成装置４５に給電が行われ、これらの構成要素はそれぞれ定められた動作を開始する。
【００４６】
電解水生成装置４４の電極４６に所定の電圧（例えば１０Ｖ）が印加されると、電極４６が浸っている水が電気分解されて電解水となる。
【００４７】
電圧の印加は、１対の電極４６が断続的に（例えば１時間毎に３〜１０分程度）交互に逆極性となるように行われる。水が塩素を含む水道水であれば、次のような電気化学反応が生じる。
＜陽極側＞
４Ｈ２Ｏ−４ｅ−→４Ｈ＋＋Ｏ２↑＋２Ｈ２Ｏ
２Ｃｌ−→Ｃｌ２＋２ｅ−
Ｈ２Ｏ＋Ｃｌ２←→ＨＣｌＯ＋Ｈ＋＋Ｃｌ−
＜陰極側＞
４Ｈ２Ｏ＋４ｅ−→２Ｈ２↑＋４ＯＨ−
＜電極間＞
Ｈ＋＋ＯＨ−→Ｈ２Ｏ
上記反応により、除菌作用と脱臭作用のある次亜塩素酸（ＨＣｌＯ）や活性酸素を含む電解水が生まれる。
【００４８】
電解水生成装置４４で生成された電解水は電解水ミスト生成装置４５へと流れる。電解水ミスト生成装置４５の超音波振動子４７を発振させると、電解水の水面からミストが発生し、電解水ミスト生成装置４５の上部空間に充満する。
【００４９】
ここで送風装置２９を稼動すると、吸気口２４→空気清浄装置２８→送風装置２９→天面排気口２５及び正面排気口２６という空気の流れが生じる。吸気口２４から吸い込まれた空気は、空気清浄フィルタ３０を通過する際に塵埃を捕捉されて清浄になる。清浄化された空気が送風装置２９に吸い込まれ、ダクト３７に吐出される。
【００５０】
ルーバー４２が図２に示す第１の位置にあれば、空気は天面排気口２５からのみ排出されることになる。その際、ダクト３７を流れる空気の一部が空気取入ダクト５０に取り込まれ、電解水ミスト生成装置４５の上部空間に入り込む。電解水ミストは、電解水ミスト生成装置４５の上部空間に入り込んだ空気に巻き込まれてミストノズル５１へと押し出され、ミストノズル５１の先端の出口より、天面排気口２５から出る排気中に放出される。全ての排気が天面排気口２５に集中している中に電解水ミストが放出されるので、電解水ミストは上方へ力強く吹き飛ばされ、広範囲に放散する。
【００５１】
図２ではルーバー３９のブレード４０は水平から９０°立ち上がった位置にあり、電解水ミストはほぼ真上に吹き出す。図５のようにルーバー３９の角度を変えれば、電解水ミストの向きが前方寄りに変わる。ルーバー３９が電動式であれば、ブレード４０をスイングさせ、風向を連続的に変えることができる。
【００５２】
ルーバー４２を、図６に示す第２の位置にすると、天面排気口２５に向かう空気流が阻害され、空気の多くはルーバー４２の筒の中またはルーバー４２の下に開いた正面排気口２６の開口部を通って正面側に吹き出すことになる。天面排気口２５からの排気量が減り、風速が低下するので、その中に放出される電解水ミストは遠くまで吹き飛ばされることがなく、また正面排気口２６からの排気によってより前方に向かい、空気清浄機１の周囲に濃密に漂う。
【００５３】
図に示す通り、ミストノズル５１の先端部は斜め前方上方に向けて屈曲されているが、これは、電解水ミストを空気清浄機１の真上よりも前方に向けて放出するためである。というのは、空気清浄機１は部屋の壁に沿って置かれることが多いので、真上よりも前方に向けて放出することとして、壁に電解水ミストが付着してしまうことのないようにするためである。
【００５４】
ミストノズル５１の先端と天面排気口２５の前縁とは当接しておらず、両者間に隙間が存在する。もし両者が当接していると、当接部分に電解水ミストが結露しやすくなるが、隙間が存在すれば、図２の矢印の如くそこから空気が吹き上がるので、ミストノズル５１の先端部が結露しようとしても水滴が吹き飛ばされ、結露が防止される。
【００５５】
ミストノズル５１を安定して取り付けるため、図示しない支え板を設け、その上にミストノズル５１を載置する構成とするのが好ましいが、そのような場合は、支え板の中で、ミストノズル５１の先端部に対応する箇所に風が通る穴または切り欠きを設け、そこから、図２の矢印のように、ノズル５１と天面排気口２５の前縁との隙間を通って空気が流れるようにしておくとよい。
【００５６】
以上の通り、排気口切替装置４１の操作で電解水ミストの放散態様を簡単に切り替えることができる。
【００５７】
天面排気口２５も正面排気口２６も、筐体２０の中で吸気口２４が存在する側面とは別の側面に配置されている。このため、天面排気口２５または正面排気口２６から排出された清浄な空気が直ちに吸気口２４に吸い込まれてしまうという、いわゆるエアーショートを防ぐことができる。
【００５８】
所定のスイッチ２２を操作して首振りモータ５７を駆動すると、筐体２０が台座１０の上で垂直軸線まわりに反転回動する。図７は反転回動停止時の首振り中心を示すものであり、この時、筐体２０と台座１０の合印６２は互いに一致する位置にある。首振りモータ５７の回転でクランク５９が回転すると、クランク５９はコネクティングロッド６０を介して台座１０を押したり、引いたりし、その結果、図８及び図９に示すように、筐体２０は右回りの回動と左回りの回動を繰り返すことになる。図１０に示すように、ミストノズル５１も左右に向きを変え、電解水ミストを広い範囲に振り撒く。この時、筐体２０と台座１０の合印６２同士の位置関係を見れば、筐体２０が首振り中心にあるのか、それとも首振り中心から右または左に振れているのかを明瞭に認識することができる。
【００５９】
図１１に本発明の第２実施形態を示す。第２実施形態は第１実施形態と次の点で異なる。すなわち第２実施形態では、ミストノズル５１に分岐部５１ａが形成されている。分岐部５１ａは筐体２０の正面に出口を有する。電解水ミストは、天面排気口２５からの排気の中に放出される他、筐体２０の正面からは、機外の空気に直接放出されることになる。この構成には、洗濯物が落下するなどして天面排気部２５が塞がれたとしても、筐体２０の正面から電解水ミストの放散を続行できるというメリットがある。この場合、図のようにルーバー４２を斜め上方に向けておけば、分岐部５１ａから放出される電解水ミストを上方へ向けることができる。
【００６０】
図１２及び図１３に本発明の第３実施形態を示す。第３実施形態は第１実施形態と次の点で異なる。第一に、ルーバー３９の２枚のブレード４０のうち、ミストノズル５１の出口である先端部に向き合うものには、その先端部を機外に露出させる切除部４０ａが形成されている。これにより、ルーバー３９が３０°まで倒されたとしても、電解水ミストの噴流がブレード４０に当たることがなくなり、一定角度に向けた電解水ミストの放散を継続することができる。またブレード４０の下面に電解水ミストが結露することもない。
【００６１】
第二に、操作部２１が筐体２０の正面上部に設けられている。この位置に操作部２１を置くと、スイッチ２２を押すとき、筐体２０が傾くことがあり、下手をすると空気清浄機１の転倒につながりかねない。そこで、手掛け部６３の筐体２０正面側の端だけ、上下幅を広くし、補助手掛け部６３ａとした。補助手掛け部６３ａには拇指以外の４本の指を掛けやすいので、補助手掛け部６３ａに１本または複数本の指を掛けておき、その手の拇指、または他方の手の指でスイッチ２２を押すこととすれば、空気清浄機１を転倒させることなくスイッチ操作を行うことができる。
【００６２】
また、ルーバー４２が手動式であれば、その角度を変えるため指で押したとしても筐体２０の上部に力がかかることになる。この時も補助手掛け部６３ａに指を掛けておくことにより、空気清浄機１を転倒させることなくルーバー４２の角度を変えることができる。
【００６３】
図１４は第４実施形態を示す。第４実施形態ではミストノズル５１が３本に分岐して、１本は正面を向く他、残りの２本は左右に４５°振れた方向を向き、３方向から電解水ミストを放出する。筐体２０を反転回動させれば、より広範囲に電解水ミストを放出することができる。
【００６４】
上記各実施形態はいずれも加湿機能を備えていないが、加湿機能を備えた空気清浄機にも本発明を適用できることは言うまでもない。
【００６５】
また、上記各実施形態はいずれも空気清浄装置２８を有する空気清浄機１についてのものであったが、空気清浄装置を有さないもの、すなわち電解水ミスト発生器の実施形態を構成することもできる。
【００６６】
排気口切替装置４１であるルーバー４２は、第２の位置にしたとき、天面排気口２５に向かう空気を完全にシャットアウトし、全ての空気が正面排気口２６より排出されるようにすることもできる。この場合には、電解水ミスト生成装置４５を停止させて、正面から風が吹き出す扇風機として用いることができる。
【００６７】
以上、本発明の実施形態につき説明したが、本発明の範囲はこれに限定されるものではなく、発明の主旨を逸脱しない範囲で種々の変更を加えて実施することができる。
【産業上の利用可能性】
【００６８】
本発明は空気清浄機に広く利用可能である。
【符号の説明】
【００６９】
１    空気清浄機
１０  台座
２０  筐体
２４  吸気口
２５  天面排気口
２６  正面排気口
２７  空気流通経路
２８  空気清浄装置
２９  送風装置
３９  ルーバー
４０  ブレード
４０ａ  切除部
４１  排気口切替装置
４２  ルーバー
４３  電解水生成ユニット
４４  電解水生成装置
４５  電解水ミスト生成装置
５０  空気取入ダクト
５１  ミストノズル
５１ａ  分岐部
５７  首振りモータ
６２  合印
６３  手掛け部
６３ａ  補助手掛け部
【図１】
2011177246.tif 000003
【図２】
2011177246.tif 000004
【図３】
2011177246.tif 000005
【図４】
2011177246.tif 000006
【図５】
2011177246.tif 000007
【図６】
2011177246.tif 000008
【図７】
2011177246.tif 000009
【図８】
2011177246.tif 000010
【図９】
2011177246.tif 000011
【図１０】
2011177246.tif 000012
【図１１】
2011177246.tif 000013
【図１２】
2011177246.tif 000014
【図１３】
2011177246.tif 000015
【図１４】
2011177246.tif 000016